(57)【特許請求の範囲】
【請求項１】
シャッタレリーズによりシャッタ羽根を蹴飛ばしてこのシャッタ羽根をシャッタ開口の前面で瞬時に一往復揺動して写真フイルムに露光を行うシャッタ装置において、
前記シャッタ羽根に開口を設け、シャッタ羽根が一往復揺動する間の往動中に開口がシャッタ開口を横切り、また復動中に開口が再びシャッタ開口を横切るようにしたことを特徴とするシャッタ装置。
【発明の詳細な説明】
【０００１】
【発明の属する技術分野】
本発明は、シャッタ装置に関し、さらに詳しくは、１枚のシャッタ羽根を一往復揺動させて写真フイルム上に露光を行うシャッタ装置に関するものである。
【０００２】
【従来の技術】
製造時に予め写真フイルムとカートリッジが組み込まれるレンズ付きフイルムユニットには、簡単な蹴飛ばし式のシャッタ機構が採用されている。このシャッタ機構は、図５（Ａ）に示すように、揺動自在に軸着されたシャッタ羽根を撮影レンズ背後のシャッタ開口（通常、絞り開口となる）の前面で１往復させて１回の露光を行うもので、シャッタ駆動レバーによってシャッタ羽根を蹴飛ばし方向に駆動してシャッタ開口を開放し、復帰バネの付勢によってシャッタ羽根が再びシャッタ開口を閉じるように構成されている。
【０００３】
【発明が解決しようとする課題】
上記シャッタ機構は構造が簡単でローコストで製造できる利点があるが、撮影レンズの光束が最も絞られた光束より僅かに拡がった処にシャッタ開口を設けているので、僅かながら写真フイルム上の撮影画面の周辺部に露光ムラが出やすい。というのは、このシャッタ機構ではシャッタ羽根として１枚の遮光板を用いているため、動図（Ｂ）に示すように、シャッタ開口を開閉する際にシャッタ羽根はシャッタ開口の開き始め側から開いてゆき、そしてシャッタ開口の閉じ始め側から閉じてゆき開き始め側を最後に閉じるようになり、シャッタ開口の開き始め側と閉じ始め側とで露出時間が異なってくる。したがって、特に撮影レンズに大きな角度をもって入射して撮影画面の周辺部に向かう斜入光束のうち、シャッタ開口の開き始め側を通る光束に対してシャッタ開口の閉じ始め側を通る光束が少なくなり、その像面露光量の差により撮影画面の周辺部に露光ムラがでるようになる。
【０００４】
本発明は、露光ムラを軽減した蹴飛ばし式のシャッタ機構をローコストで提供することを目的とする。
【０００５】
【課題を解決するための手段】
上記目的を達成するために、本発明は、シャッタ羽根に開口を設け、シャッタ羽根が一往復揺動する間の往動中に開口がシャッタ開口を１回横切り、また復動中に再び開口がシャッタ開口を１回横切るようにしたものである。
【０００６】
【発明の実施の形態】
図２は、レンズ付きフイルムユニット１０の外観を示すものである。レンズ付きフイルムユニット１０は、写真フイルムカートリッジや各種撮影機構が内蔵されたユニット本体１１とこれを収納する外ケース１２とから構成されている。外ケース１２は、ユニット本体１１に組み込まれた巻上げノブ１３，シャッタボタン１４等を露呈させるような輪郭となっており、また、撮影レンズ１７，ファインダ光学１８及び枚数表示用の表示窓１９等を露出させるための穴が設けられている。
【０００７】
ユニット本体１１は、図３に示すように、本体基部２０、カートリッジ付き写真フイルム２５、後カバー２１、及び前カバー２３とから構成されている。
【０００８】
前カバー２３は、本体基部２０の前面に着脱自在に取り付けられ、本体基部２０との間で露光ユニット２２を前及び上下方向から覆う。この前カバー２３の上面には、一部を切り欠いて弾性自在に形成したシャッタボタン１４が設けられている。
【０００９】
本体基部２０には、露光開口３３を挟んだ両側に各々隙間を空けてカートリッジ収納室２７とフイルムロール室２９とが一体に形成されている。カートリッジ収納室２７は、カートリッジ２６を収納するための部屋であり、またフイルムロール室２９は、カートリッジ２６から引き出した未露光の写真フイルム２８をフイルムロールの形態で収納するための部屋である。
【００１０】
カートリッジ収納室２７とフイルムロール室２９との底は開口となっており、カートリッジ付き写真フイルム２５を装填した後に、後カバー２１に設けたプルトップ式の底蓋３０，３１によってそれぞれ光密に塞がれる。底蓋３０は、露光済みの写真フイルム２８を巻き込んだカートリッジ２６を取り出す際の蓋である。
【００１１】
カートリッジ収納室２７の上には、巻上げノブ１３が回動自在に配置されている。巻上げノブ１３には、カートリッジ２６のスプール２６ｂに係合する軸が一体に形成されている。この軸は巻上げノブ１３とともにフイルム巻き上げ機構を構成している。巻上げノブ１３は、一部が後カバー２１の開口２１ａから露呈されており、この露呈された部分をフイルム巻き上げ方向（図２に示す矢印方向）に回転させることによりスプール２６ｂが回転し、撮影済みの写真フイルム２８をカートリッジ２６の内部に巻き上げる。
【００１２】
巻上げノブ１３の外周には歯列１３ａが形成されている。この歯列１３ａには、本体基部２０に設けた逆止爪２０ａが係合している。逆止爪２０ａは、巻上げノブ１３がフイルム巻き上げ方向とは逆の方向に回転操作されることを禁止する。
【００１３】
カートリッジ収納室２７とフイルムロール室２９との間には、暗箱の一部３２が設けられている。この暗箱の一部３２の前面には、露光付与機構をユニット化した露光ユニット２２が着脱自在に取り付けられる。露光ユニット２２には、残りの分割暗箱を一体に形成したベースに、撮影レンズ１７、間欠スプロケット、フイルム巻き止め機構、シャッタ機構、フイルムカウンタ機構、及びファインダ光学等が組み込まれている。この露光ユニット２２を本体基部２０に取り付けることで暗箱が形成される。
【００１４】
間欠スプロケットは、本体基部２０の暗箱３２の上で、且つカートリッジ収納室２７の側に寄った位置に形成された開口３４からフイルム面に向けて突出される。この位置は、写真フイルムのパーフォレーション２８ａ，２８ｂの移送軌跡内とされている。間欠スプロケットは、写真フイルム２８の１コマ分の移送により半回転する。この間の回転力を利用してシャッタ機構のシャッタチャージが行われ、半回転した時点でフイルム巻き止め機構が作動して写真フイルムの移送と巻き上げノブ１３の巻き上げ操作とを阻止する。また、この間のスプロケットの回転力を利用してフイルムカウンタ機構の一歩進が行われる。
【００１５】
写真フイルム２８は、フイルム先端とフイルム後端との間の有効露光範囲に、一方の側縁２８ｄに沿って２個のパーフォレーション２８ａ，２８ｂが２種類の間隔で交互に配列されており、間隔の長いパーフォレーション２８ｂ，２８ａの間の中心が露光開口３３を通る撮影光軸１７ａに合うように１コマずつ巻き上げられて露光が行われる。
【００１６】
カートリッジ２６は、スプール２６ｂの回転により写真フイルム２８を移送可能な構造とされており、フイルム送出口の内部に開閉自在な蓋部材２６ａが設けられている。この蓋部材２６ａは、カートリッジ２６の内部遮光用であり、この両端には、キー溝が形成されている。これらのキー溝は、スプール２６ｂの軸方向に沿った側面から外部に各々露呈されている。露光ユニット２２とカートリッジ収納室２７との隙間には、蓋部材閉じ機構が内蔵されている。蓋部材閉じ機構は、後カバー２１の底蓋３０を開く動作に連動して蓋部材２６ａを閉じる。
【００１７】
図４は、シャッタ機構、フイルム巻止め機構、及びフイルムカウンタ機構等の概略を示している。軸５１には、シャッタ駆動レバー４４、捩じりバネ４１、枚数表示板４５とが順に挿入される。軸５２には、捩じりバネ４２、係止レバー４３とが順に挿入される。符号５３は、軸受け開口の中心線を示しており、この開口には、回転部材３９が挿入され、この挿入した側に間欠スプロケット３８が係合する。間欠スプロケット３８は、本体基部２０の開口３４からフイルム面に向けて露呈される。
【００１８】
シャッタ駆動レバー４４は、チャージ位置とレリーズ完了位置との間で回動自在であり、捩じりバネ４１によりレリーズ完了位置に向けて付勢されている。係止レバー４３は、巻止め爪４３ｄが歯列１３ａに係合する巻き止め位置と巻止め爪４３ｄが歯列１３ａから退避する巻き止め解除位置との間で回動され、捩じりバネ４２により巻き止め位置に向けて付勢されている。
【００１９】
回転部材３９は、下から順に、一対の被押圧部５４ａからなる被押圧部５４、一対のチャージカム５５ａからなるチャージカム５５、一対の溝５６ａからなる巻止めカム５６、及び二歯ギヤ５７とがそれぞれ同軸で一体に形成されている。
【００２０】
スプロケット３８には、短い間隔で並んだ一対のパーフォレーション２８ａ，２８ｂに順次に噛合する一対の歯３８ａ，３８ｂが、円周面の回転対称の位置にそれぞれ二対突設されており、写真フイルム２８が１コマ分の長さだけ移送されることで半回転する。このスプロケット３８は、フイルム１コマ分の移送後に、一対の歯３８ａ，３８ｂのうち先頭の歯３８ａがパーフォレーション２８ａから外れ、後続の歯３８ｂがパーフォレーション２８ｂに噛合した状態で停止する。
【００２１】
シャッタ駆動レバー４４は、レリーズ完了位置の際に、立ち上がり片４４ｂが係止レバー４３に設けた立ち下がり片４３ｃに係合して係止レバー４３を巻き止め解除位置で保持する。フイルム移送に従動してスプロケット３８が反時計方向に回転すると回転部材３９も同期回転する。この回転によりチャージカム５５は、回転軌跡内に入り込んだシャッタ駆動レバー４４の一端４４ａを捩じりバネ４１の付勢に抗して押してシャッタ駆動レバー４４をチャージ位置に向けて回転させる。
【００２２】
シャッタ駆動レバー４４がチャージ位置に到達すると、立ち上がり片４４ｂが立ち下がり片４３ｃの回転軌跡から退避して係止レバー４３の巻き止め解除位置での保持を解除する。これにより、係止レバー４３は捩じりバネ４２の付勢により巻き止め位置に向けて回転する。１コマ分の長さだけ写真フイルム２８が移送されると、係止レバー４３の爪部４３ｂの回転軌跡上に溝５６ａが回転してきて、爪部４３ｂが入り込む。これにより、係止レバー４３の巻き止め位置となり、スプロケット３８の回転をロックする。このとき、巻止め爪４３ｄが巻上げノブ１３の歯列１３ａに係合してフイルム巻き上げ操作を阻止する。
【００２３】
係止レバー４３が巻き止め位置に回転する途中では、立ち下がり片４３ｃがシャッタ駆動レバー４４の立ち上がり片４４ｂの回動軌跡内に入り込み、シャッタ駆動レバー４４をチャージ位置で保持する。
【００２４】
シャッタボタン１６の押下操作が行われると、シャッタボタンの下に設けた押圧ロッド１４（図３参照）により係止レバー４３の立ち下がりロッド４３ａが押され、係止レバー４３が捩じりバネ４２の付勢に抗して巻き止め解除位置に向けて回転する。これにより、立ち下がり片４３ｃが立ち上がり片４４ｂの回動軌跡内から外れ、シャッタ駆動レバー４４が捩じりバネ４１の付勢によってレリーズ完了位置に向けて瞬時に回転する。この回転中に、蹴飛ばしアーム４４ｃがシャッタ羽根６０の一端６０ａを蹴飛ばす。シャッタ羽根６０は、蹴飛ばされることで軸６０ｂを中心に一往復揺動し、この一往復の揺動中に撮影レンズ１７及び絞り開口６３を通過した被写体光が写真フイルム２８に入射する。シャッタ羽根６０は、撮影レンズ１７とこれの背後に配置したシャッタ開口６３との間に配置されている。このシャッタ開口６３は、固定絞りを兼用している。
【００２５】
シャッタ羽根６０は、露光ムラを軽減するために、２回の露光を付与する構造とされている。この構造は、シャッタ羽根６０の回転軸６０ｂを中心とする円弧上に沿って延びた円弧板６０ｃとこの円弧板６０に形成された矩形な開口６０ｅとから構成されている。円弧板６０ｃは、通常は先端部６０ｄでシャッタ開口６３を遮蔽しており、シャッタレリーズに連動してシャッタ開口６３の前面で一往復揺動する。引き戻しバネ６１は、円弧板６０ｃを復動方向に向けて付勢している。ストッパ６２は、バネ６１の付勢に抗して円弧板６０ｃの復動方向への回転を阻止して、先端部６０ｄがシャッタ開口６３を遮蔽した状態にする。
【００２６】
開口６０ｅは、円弧板６０ｃのうち復動方向にずれた位置に形成されており、円弧板６０ｃがシャッタ開口６３の前面で往動する間でシャッタ開口６３を１回横切り、また復動する間で再びシャッタ開口６３を１回横切る。この２回の露光は、開口６０ｅがシャッタ開口６３を通り過ぎて円弧板６０ｃの後端部６０ｆでシャッタ開口６３をいったん遮蔽することで２回の露光に区切られる。この開口６０ｅは、シャッタ開口６３の内径と同じかこれよりも僅かに大きいサイズとされている。このように１回のシャッタレリーズで２回の露光が瞬時に行われるから、２回の露光でフイルム感度に応じた適正露出となるように、引き戻しバネ６１の強さを含めてシャッタ羽根６０の揺動速度が決められている。
【００２７】
シャッタ駆動レバー４４がレリーズ完了位置に回転すると、立ち上がり片４４ｂが立ち下がり片４３ｃの回動軌跡内に入り込んで、係止レバー４３を巻き止め解除位置で保持する。係止レバー４３が巻き止め解除位置の状態となると、巻止め爪４３ｄが歯列１３ａから退避し、また、爪部４３ｂが溝５６ａから抜け出している。これにより、次回のフイルム巻き上げ操作が許容される。
【００２８】
二歯ギヤ５７には、枚数表示板４５の外周に形成された歯列が噛合している。したがって、スプロケット３８が半回転すると二歯ギヤ５７が枚数表示板４５を一目盛り分だけ時計方向に回転させる。枚数表示板４５の上面には、その回転ピッチに対応して枚数表示用の目盛りが設けられている。この目盛りはその時点で撮影可能なフイルム枚数、すなわち残数表示目盛りとなっているから、この目盛りを表示窓１９から観察することによって残りコマ数を確認することができる。
【００２９】
最後のコマに撮影を行った後には、写真フイルム２８の最も先端側にある一対のパーフォレーション２８ａ，２８ｂが間欠スプロケット３８に到達し、有効露光範囲外にコマを形成してしまう。このため、これらパーフォレーション２８ａ，２８ｂを無効化する必要がある。この機構は、フイルムカウンタ機構に内蔵されており、最後のコマに撮影を完了した後のフイルム巻き上げ操作により、残りのフイルム枚数が無い旨を表示する位置に歩進した時点で、フイルムカウントをロックし、またフイルム巻き止め機構の作動を阻止するとともに、間欠スプロケット３８の回転をロックする。このとき、間欠スプロケット３８は歯３８ａ，３８ｂの間隔の長い面をフイルム通路に向けた状態でロックされる。したがって、前述した一対のパーフォレーション２８ａ，２８ｂが到達してもフイルム巻き止め機構が作動せず、しかも間欠スプロケット３８の歯３８ａ，３８ｂが写真フイルム２８に触れることもないから、安全にフイルム先端部のカートリッジ２６への巻き込みが行える。
【００３０】
被押圧部５４ａは、スプロケット３８の間欠回転を補助する作用を行うものであり、これらは回転対称の位置にそれぞれ設けられ、この回転軌跡内には、板バネ４０の先端４０ａが入り込んでいる。板バネ４０は、被押圧部５４ａを押圧する。この押圧は、スプロケット３８の従動方向に向けて作用され、したがって、スプロケット３８の歯３８ａ，３８ｂとの間の円周面が写真フイルム２８に対峙してスリップし易い状態でも確実にスプロケット３８をフイルム移送と同じに回転させることができる。
【００３１】
次に上記構成の作用を説明する。シャッタレリーズ後の状態は、スプロケット３８の歯３８ｂが短い間隔で並んだパーフォレーション２８ａ，２８ｂのうちパーフォレーション２８ｂに噛合した状態で停止している。シャッタ駆動レバー４４は、レリーズ完了位置の状態とされている。板バネ４０は、先端４０ａが一対の被押圧部５４ａの間に入り込んでいる。
【００３２】
フイルム巻き上げは巻上げノブ１３を図２に示す矢印方向に回転させる。この操作により、写真フイルム２８が巻き上げられる。このときのフイルム移送に従動してスプロケット３８が反時計方向に回転する。スプロケット３８は、歯３８ｂがパーフォレーション２８ｂから抜けた状態となると、この間で板バネ４０の先端４０ａがいずれか一方の被押圧部５４ａを押圧するので、この押圧力を利用してフイルム移送と同じに従動回転する。
【００３３】
その後、長い間隔で並んだパーフォレーション２８ａが到達し、これに歯３８ａが噛合し、その後、後続の歯３８ｂが次の短い間隔で並んだパーフォレーション２８ｂに噛合する。この間に、チャージカム５５ａが一端４４ａを押圧し、シャッタ駆動レバー４４を捩じりバネ４１の付勢に抗してチャージ位置に向けて回転させる。
【００３４】
シャッタ駆動レバー４４がチャージ位置に回転すると、立ち上がり片４４ｂが立ち下がり片４３ｃの回動軌跡内から退避するため、係止レバー４３が捩じりバネ４２の付勢により巻き止め位置に向けて回転する。そして、１コマ分の長さだけ写真フイルム２８が移送された時点で、スプロケット３８が半回転した状態となるため、溝５６ａに爪部４３ｂが入り込んで係止レバー４３が巻き止め位置の状態となる。
【００３５】
係止レバー４３が巻き止め位置となると、スプロケット３８の回転がロックされ、且つ巻止め爪４３ｄが歯列１３ａに係合して巻上げノブ１３のフイルム巻き上げ操作を阻止する。また、係止レバー４３が巻き止め位置となると、立ち下がり片４３ｃが立ち上がり片４４ｂの回動軌跡内に入り込み、シャッタ駆動レバー４４がチャージ位置で保持される。この状態では、チャージカム５５ａが一端４４ａの回動軌跡内から退避しているため、シャッタ駆動レバー４４のレリーズ完了位置までの回転が許容される。
【００３６】
撮影は、シャッタボタン１４の押下操作により行われる。このシャッタレリーズにより押圧ロッド１４ａが係止レバー４３を巻き止め解除位置に向けて押圧する。これにより、係止レバー４３が回転し、立ち下がり片４３ｃが立ち上がり片４４ｂの回転軌跡から退避するため、シャッタ駆動レバー４４が捩じりバネ４１の付勢によりレリーズ完了位置に向けて瞬時に回転する。この間の回転で蹴飛ばしアーム４４ｃがシャッタ羽根６０の一端６０ａを蹴飛ばす。
【００３７】
シャッタ羽根６０は、図１（Ａ）に示すように、ストッパ６２に当接してバネ６１の付勢に抗して停止している。この状態は、円弧板６０ｃの先端部６０ｄでシャッタ開口６３を遮蔽している。そして、同図に示す矢印方向に一端６０ａが蹴飛ばされると円弧板６０ｃは、バネ６１の付勢に抗して軸６０ｂを中心に時計方向に回転する。この回転方向が往動方向であり、この方向に向けて回転する間に同図（Ｂ）に示すように、開口６０ｅがシャッタ開口６３を横切る。その後、円弧板６０ｃは、開口６０ｅがシャッタ開口６３を通過するまで往動方向の回転が継続され、同図（Ｃ）に示す状態となる。このとき、円弧板６０ｃの後端部６０ｆでシャッタ開口６３が遮蔽される。
【００３８】
この１回目の露光は、開口６０ｅを横切らすから、シャッタ開口６３を開き始めた側から再び閉じる。したがって、シャッタ開口６３のうちの両側に入射する光束の光量が同じになる。
【００３９】
同図（Ｃ）に示す状態となると、蹴飛ばしアーム４４ｃが一端６０ａを通り過ぎた位置まで移動し、一端６０ａの蹴飛ばしが完了している。したがってこれ以降は円弧板６０ｃが引き戻しバネ６１の付勢により元位置に向けて回転する。この回転方向が復動方向となる。この復動中に、同図（Ｄ）に示すように再び開口６０ｅがシャッタ開口６３を横切る。そして、ストッパ６２に当接することで最初の状態に戻る。このとき、シャッタ駆動レバー４４がレリーズ完了位置に達しており、蹴飛ばしアーム４４ｃが同図（Ｅ）に示す位置で停止している。
【００４０】
この２回目の露光も、開口６０ｅがシャッタ開口６３を前述したと反対側から開き始め、この開き始め側から閉じるから、シャッタ開口６３の両側に入射する光束の光量が同じになる。これにより、シャッタ開口６３の両側で露出時間を同じにすることができる。したがって、露光開口３３にセットされた写真フイルム２８には、撮影画面の周辺部に生じる露光ムラを軽減した画像で露光される。なお、２回の露光は、瞬時に行われるから、被写体が動いて輪郭がぶれて写るようなことはない。
【００４１】
シャッタ駆動レバー４４がレリーズ完了位置に回転すると、立ち上がり片４４ｂが立ち下がり片４３ｃの回転軌跡内に入り込んで係止レバー４３を巻き止め解除位置に保持する。以下、前述した操作を繰り返すことで、写真フイルム２８あ巻き上げられ、またシャッタ駆動レバー４４がチャージ位置に戻され、有効露光範囲のフイルム後端側のコマに露光が順次に行われ、露光済みの写真フイルム２８がカートリッジ２６に内部に収納される。なお、シャッタ駆動レバー４４がチャージ位置に移動する過程では、蹴飛ばしアーム４４ｃが一端６０ａを乗り越えるためシャッタ羽根６０を回転させることはない。
【００４２】
最後のコマに撮影を完了した後には、枚数表示板４５がこの旨を表示する位置に回転している。このとき、枚数表示板４５の下面に形成した突起４５ａで係止レバー４３の突起部４３ｅを当接させ係止レバー４３を巻き止め解除位置の状態で保持する。これによりフイルム巻き止め機構が作動しないから、全部の写真フイルム２８をカートリッジ２６の内部に巻き込むことができる。
【００４３】
使用済みのレンズ付きフイルムユニット１０は、そのまま現像所に提出され、ここで底蓋３０が開かれる。この底蓋３０の開き動作に連動して蓋部材閉じ機構が作動してカートリッジ２６の蓋部材２６ａが閉じられる。
【００４４】
取り出したカートリッジ２６は、確実に蓋部材２６ａが閉まっているから、暗室で蓋部材２６ａを開いた後に、スプール２６ｂをフイルム送り出し方向に回転させる。これにより、写真フイルム２８がフイルム送出口から外部に送り出され、露光済みの写真フイルム２８を簡単に現像処理できる。現像した後には焼付け処理が行われて、プリント写真が得られる。現像済みの写真フイルム２８は、元のカートリッジ２６に戻されてプリント写真とともにユーザーに返却される。
【００４５】
次に、ストロボ内蔵タイプのレンズ付きフイルムユニットの場合について説明する。このタイプには、ストロボユニットが内蔵されている。周知のように、ストロボユニットには、昇圧回路、メインコンデンサ、シンクロスイッチ、電源電池、メインコンデンサ、ストロボ発光部等を回路基板に取り付けた構成とされており、前カバーに設けたストロボスイッチを押圧することで電源電池からの電圧を昇圧してメインコンデンサに充電が開始しされる。
【００４６】
充電完了後にシャッタレリーズを行うと、シャッタ羽根６０に一体に形成した押圧部６０ｆによってシンクロスイッチがＯＮする。このタイミングは、図１（Ｂ）の動作点、すなわち、往動時に開口６０ｅがシャッタ開口６３を横切ってシャッタ開口６３を全開させた時点となっている。これにより、シャッタレリーズ時に近いタイミングでストロボ発光部からストロボ光が照射され、被写体に反射した光が撮影レンズに入射して露光が行われる。
【００４７】
シンクロスイッチは、細長い弾性を有する導体片を上下に所定間隔離して一対設けた構成とされている。シャッタ羽根６０の押圧部６０ｆは、往動時に上側の導体片を下側の導体片に接触させてシンクロスイッチをＯＮする。その後は一対の導体片を乗り越えて図１（Ｃ）の動作点まで回転する。復動時に再びシンクロスイッチをＯＮするが、このときにはメインコンデンサが放電された直後なのでストロボ発光が行われることはない。
【００４８】
【発明の効果】
以上説明したように、本発明では、シャッタ羽根に開口を設け、シャッタ羽根が一往復揺動する間の往動中に開口がシャッタ開口を１回横切り、また復動中に再び開口がシャッタ開口を１回横切るようにしたから、シャッタ開口を開閉する際に開口はシャッタ開口の開き始め側から開いて、再び開き始め側から閉じるから、シャッタ開口の両側で露出時間が同じになる。したがって、特に撮影レンズに大きな角度をもって入射して撮影画面の周辺部に向かう斜入光束のうち、シャッタ開口の両側を通る光束との光量を同等にすることができるため、撮影画面の周辺部に生じるわずかな露光ムラを防止することができる。
【図面の簡単な説明】
【図１】シャッタ羽根の一往復の回転を示した説明図である。
【図２】レンズ付きフイルムユニットの外観を示す斜視図である。
【図３】ユニット本体の構成を示す分解斜視図である。
【図４】シャッタ機構、フイルム巻止め機構、フイルムカウンタ機構等の概略を示す斜視図である。
【図５】従来技術で説明したシャッタ機構を示す説明図である。
【符号の説明】
１７  撮影レンズ
５９  固定絞り
６０  シャッタ羽根
６０ｃ  円弧板
６０ｅ  開口
６３  シャッタ開口
【図１】
0003585312.tif 000002
【図２】
0003585312.tif 000003
【図３】
0003585312.tif 000004
【図４】
0003585312.tif 000005
【図５】
0003585312.tif 000006